(57)【要約】【課題】従来、屋外作業時、タイムカードの記録は難しく、実働時間と賃金の格差があった。屋外作業では多数のアルバイト等を雇用しており、各人の勤務形態は多様で、入替りも頻繁であり、個人毎の出退勤時間等のリアルタイムな把握が難しかった。【構成】コードナンバーを読取るコードナンバー読取り端末１と、データを送信する送信端末２と、データを受信するＷＥＢサーバ１００内の受信部３と、データを記憶するデータベースサーバ２００内の記憶部４と、データ情報を引出し各データベースと照会するデータ照会部５と、データ情報を分析する分析部６と、データ情報を各端末８に送信する送信部７でなるバーコード等により数値化した通信回線を利用した管理システムである。情報の数値化により、作業の効率化、入力ミス防止が可能、セキュリティの向上、処理の簡易化、膨大なデータ保存が可能なこと、情報を基に再考し、効率的な管理・運営・配置が可能なこと等の特徴がある。【選択図】図１
2004272640.tif 000002
【特許請求の範囲】
【請求項１】
出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムであって、
バーコード・識別コード等のコードナンバーを読取るコードナンバー読取り端末と、  該コードナンバー読取り端末により読取られたコードナンバーデータを送信する送信端末と、該送信端末により送信されたコードナンバーデータを受信するＷＥＢサーバ内にある受信部と、該受信部により受信したコードナンバーデータを記憶するデータベースサーバ内にある記憶部と、該記憶部により記憶されたコードナンバーデータの情報を引出し、  各データベースと照会するデータベースサーバ内にあるデータ照会部と、該データ照会部で引出されたコードナンバーデータの情報を分析するデータベースサーバ内にある分析部と、該分析部により分析されたコードナンバーデータの情報を各端末に送信するデータベースサーバ内にある送信部とでなるバーコード等のコードナンバーを附すことにより数値化し管理を容易化、データ蓄積の簡易化、データ収容の拡充化を図るインターネット等の通信回線を利用した管理システム。
【請求項２】
出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムであって、
コードナンバー読取り端末によってバーコード・識別コード等のコードナンバーを読取り、読取られたコードナンバーデータを送信端末により送信し、送信されたコードナンバーデータをＷＥＢサーバ内にある受信部により受信し、受信したコードナンバーデータをデータベースサーバ内にある記憶部により記憶し、記憶されたコードナンバーデータの情報をデータベースサーバ内にあるデータ照会部により引出した後、各データベースと照会し、  照会されたコードナンバーデータの情報をデータベースサーバ内にある分析部により分析し、  分析されたコードナンバーデータの情報をデータベースサーバ内にある送信部により送信するバーコード等のコードナンバーを附すことにより数値化し管理を容易化、データ蓄積の簡易化、データ収容の拡充化を図るインターネット等の通信回線を利用した管理方法。
【発明の詳細な説明】
【０００１】
【発明の属する技術分野】
本発明は、出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムである。
【０００２】
【従来の技術】
個人毎の出勤時間、退勤時間及び休憩時間等の勤務状況を示す時間情報は、従来は、職場に設置されたタイムレコーダにより、個人毎にタイムカードに記録しておき、必要に応じて、手入力によりコンピュータに入力され、集計されることが多い。また、建築現場・工事現場・イベント会場等、屋外で作業をする場合、タイムカードの記録等は難しいものであった。
【０００３】
建設現場・工事現場・イベント会場等では多数のアルバイト・契約社員・日雇い労働者を雇用している場合が多く、各労働者の状況をリアルタイムに把握することが求められている。また、上記の点に関して文献を調査してみると、下記のような文献があった。
【０００４】
文献（１）は、特開２００２−４１７３４「イベント管理システム，イベント管理方法およびそのプログラム記録媒体」であり、作業指示データおよび作業結果データを含むイベント情報を管理するイベント管理サーバと、イベント管理サーバに内部ネットワークを介して接続され、イベント管理サーバが管理するイベント情報のうち、作業指示データおよび作業結果データを外部ネットワークに接続される装置との間で所定のセキュリティ機能付きプロトコルを用いて送受信する外部装置連携用サーバと、外部ネットワークに接続され、外部装置連携用サーバとの間でセキュリティ機能付きプロトコルを用いて作業指示データおよび作業結果データを送受信するイベント管理用のウェブサーバと、外部ネットワークに接続され、イベント管理用のウェブサーバとの通信により、作業指示データの表示および作業結果報告のためのデータの入力を行う携帯型情報機器とを備えることを特徴とするイベント管理システムである。
【０００５】
文献（２）は、特開２００２−３１２５５１「勤怠情報収集システム、巡回管理システム、サーバコンピュータ、コンピュータプログラム及び記録媒体」であり、コードを読み取る手段を有し通信回線により接続された携帯端末機を認証する認証手段を備え、個人毎に定められたコードを使用して、個人毎の勤務状況を示す時刻情報を収集する勤怠情報収集システムであり、携帯端末機が時刻情報の収集に必要とする画面情報群を記憶してある記憶手段と、認証手段が認証した携帯端末機が行う処理内容に応じた画面情報を、記憶手段から読み出して、時刻情報と共に携帯端末機に送信する手段と、その送信した画面情報及び時刻情報とコードとを使用して携帯端末機が処理し送信した情報を受信する受信手段と、受信手段が受信した情報を登録する登録手段とを備える構成である。
【０００６】
【発明が解決しようとする課題】
従来は、建築現場・工事現場・イベント会場等、屋外で作業をする場合、タイムカードの記録等は難しかったために、日給等の計算で実際の労働時間に見合う額を支払っているとは言えなかった。また、建設現場・工事現場・イベント会場等では多数のアルバイト・契約社員・日雇い労働者を雇用している場合が多く、各人の勤務形態は多様であり、また、入れ替わりも頻繁であるので、労務管理を迅速に行う為に、個人毎の出勤時間・退勤時間・作業人員・所要時間・作業内容等をリアルタイムに把握することが求められているが、現在の状況では不可能であった。
【０００７】
文献（１）は、ユーザ先においても簡易なオンサイトスケジュール確認を可能にし、またユーザ先からの簡易なイベント状況報告を可能にしたシステムであるが、イベント管理システムであり、作業内容等についての管理ではなく、本願の内容とは全く異なる。また、構成が複雑であること、コスト高となること、セキュリティ面での不安があること、等の課題がある。
【０００８】
文献（２）は、勤怠情報をリアルタイムに把握することが可能であるが、作業内容の把握等ができず、また、実際の作業内容の報告を受ける、その他人員管理についての記述はなく、本願とは全く異なる内容である。
【０００９】
本発明は上記問題点の解決を図るために発明されたものである。
【００１０】
【課題を解決するための手段】
請求項１及び２に係る本発明は、バーコード等のコードナンバーを使用することにより情報を数値化し読取るので、作業の効率化、入力ミス等の防止が可能であること、数値化により、情報が漏洩した際も数字の羅列による情報が漏洩するに過ぎず、セキュリティが向上すること、労務管理を確実及びスムーズなものとし、処理が簡易にできること、情報を数値化することにより、膨大なデータ保存が可能となること、情報を簡易に蓄積できるので、情報を基に再考し、より効率的な管理・運営・配置が可能となること等の特徴がある。
【００１１】
請求項１は、出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムであって、
バーコード・識別コード等のコードナンバーを読取るコードナンバー読取り端末と、コードナンバー読取り端末により読取られたコードナンバーデータを送信する送信端末と、送信端末により送信されたコードナンバーデータを受信するＷＥＢサーバ内にある受信部と、受信部により受信したコードナンバーデータを記憶するデータベースサーバ内にある記憶部と、記憶部により記憶されたコードナンバーデータの情報を引出し、各データベースと照会するデータベースサーバ内にあるデータ照会部と、データ照会部で引出されたコードナンバーデータの情報を分析するデータベースサーバ内にある分析部と、分析部により分析されたコードナンバーデータの情報を各端末に送信するデータベースサーバ内にある送信部とでなるバーコード等のコードナンバーを附すことにより数値化し管理を容易化、データ蓄積の簡易化、データ収容の拡充化を図るインターネット等の通信回線を利用した管理システムである。
【００１２】
請求項２は、出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムであって、
コードナンバー読取り端末によってバーコード・識別コード等のコードナンバーを読取り、読取られたコードナンバーデータを送信端末により送信し、送信されたコードナンバーデータをＷＥＢサーバ内にある受信部により受信し、受信したコードナンバーデータをデータベースサーバ内にある記憶部により記憶し、記憶されたコードナンバーデータの情報をデータベースサーバ内にあるデータ照会部により引出した後、各データベースと照会し、  照会されたコードナンバーデータの情報をデータベースサーバ内にある分析部により分析し、  分析されたコードナンバーデータの情報をデータベースサーバ内にある送信部により送信するバーコード等のコードナンバーを附すことにより数値化し管理を容易化、データ蓄積の簡易化、データ収容の拡充化を図るインターネット等の通信回線を利用した管理方法である。
【００１３】
【発明の実施の形態】
本発明の実施の形態について図面を基に説明する。
【００１４】
図１は、本発明の一実施形態をフローチャート化した図である。１はコードナンバー読取り端末であり、例えば、バーコードリーダー等により簡易にコード読取ることができる端末である。今回の発明の実施の形態ではバーコードで説明するが、一例であり、バーコードに限らずＪＩＳコード等データを数値化した識別コードであればよく、特に限定されない。２は、送信端末であり、コードナンバー読取り端末１に接続され、コードナンバー読取り端末１で読取ったコードナンバーデータを送信する。送信端末２は、例えば、携帯電話、ＰＨＳ（Ｐｅｒｓｏｎａｌ  Ｈａｎｄｙ  Ｐｈｏｎｅ）、ＰＤＡ（Ｐｅｒｓｏｎａｌ  Ｄｉｇｉｔａｌ  Ａｓｓｉｓｔａｎｔ）、パソコン等のインターネットに接続できる端末が挙げられる。しかし、作業現場・工事現場・イベント会場等によっては電源の確保が難しい場所もあり、その際は、携帯電話、ＰＨＳ、ＰＤＡ、  ノートパソコンのように充電タイプのもので、電源の確保の必要ない端末が望ましい。３はＷＥＢサーバ１００内にある受信部であり、送信端末２により送信されたコードナンバーデータを受信する。４はデータベースサーバ２００内にある記憶部であり、  受信部３により受信したコードナンバーデータを記憶する。５はデータベースサーバ２００内にあるデータ照会部であり、記憶部により記憶されたコードナンバーデータの情報を引出し、各データベースと照会する。  各データベースは、例えば、作業者の氏名・年齢・勤続年数・過去の勤務実績・勤務箇所等が保存されている作業者データベース５１、顧客の名前・取引内容・過去の取引データ等が保存されている顧客データベース５２、各作業者の出勤時間・出勤日数・休憩時間・退勤時間等が保存されている出退勤データベース５３、作業内容・作業時間・作業人数等が保存されている作業内容データベース５４等である。６はデータベースサーバ２００内にある分析部であり、データ照会部５で引出されたコードナンバーデータの情報を分析する。７はデータベースサーバ２００内にある送信部であり、分析部６により分析されたコードナンバーデータの情報を各端末８に送信する。
【００１５】
なお、図１のように各端末、各部では矢印のように相互のやり取りが可能であり、また、記憶部４からデータベース照会部５、分析部６を経由せずに、直接送信部７へ接続することも可能である。これにより、バーコード化すること等により数値化されたデータをデータベースサーバ２００上で照会・分析することなく各端末８へ送信部７を通じて送信できるので、データベースサーバ２００上にデータを保存することがないため、セキュリティの向上が図れる。また、情報の漏洩があった際も、数値化されたデータであり、数字の羅列であるので問題ない。
【００１６】
図２は、本発明の一実施形態を表したブロック図である。例えば、現場Ａ、現場Ｂ、現場Ｃ、現場Ｄに作業員を配置したとする。この場合、作業員は各現場に到着した際、各現場に置いてあるバーコード表の出勤時間を数値化したバーコードにコードナンバー読取り端末１を当ててバーコードを読取る。例えば、出勤時間が８時３０分であれば、８のバーコードと３０のバーコードにコードナンバー読取り端末１を当ててバーコードを読取る。当然、８時３０分のバーコード、８時３１分のバーコード、のように１分単位、又は５分単位のようにバーコード化することも可能であり、バーコードの仕様は限定されない。バーコードの内容は、出勤時間だけでなく、作業場所・作業予定時間・作業人数等も入力可能であり、新たにバーコードを作成することによって必要項目を増やすことが可能である。この時、バーコード表はバーコードをプリントアウトしたものだけでなく、パソコン・ＰＤＡ等の画面上にインターネットを通じて表示してもよく、画面上にバーコード表を表示することによって、バーコード表の作成を容易にし、どこの場所からでもインターネットにアクセスすることにより、バーコード表がなくてもコードナンバー読取り端末１を画面上にあるバーコードに当てることにより、読取り可能にできる。このようにコードナンバー読取り端末１を使用することにより操作が簡易になり、パソコン等の入力に不慣れな作業者でも簡易に入力可能である。また、タイムカード等に手書きで書いたもの又は印字されたものを、再度パソコン等に入力する必要もなく、作業の効率化、入力ミス等の防止が可能である。
【００１７】
出勤時間をコードナンバー読取り端末１で読取った後、各現場の送信端末２（図２では携帯電話が図示されているが、ＰＤＡ・パソコンでもよい）から、ＷＥＢサーバ１００に送信する。ＷＥＢサーバ１００の受信部３により受信された出勤時間データは、データベースサーバ２００の出退勤データベース５３に送信され、該当する作業者の出勤時間が記録される。
【００１８】
なお、地下での作業、山奥での作業のように送信端末２の電波の届かない場所の場合、電波の届く場所に行ってから数値化されたデータを送信すればよく、それまでは、コードナンバー読取り端末１又は送信端末２にデータは保存される。充電している電源が切れた場合等も、数値化されたデータはコードナンバー読取り端末１又は送信端末２に保存されているので、データを再度読取る必要がなく、手間も省け、効率的である。
【００１９】
作業終了後、各現場の作業員は退勤時間をバーコード化したバーコードにコードナンバー読取り端末１を当ててバーコードを読取る。読取られた数値化された退勤時間データは前記の出勤時間が記録される際と同様に、送信端末２を介してＷＥＢサーバ１００の受信部３へ送信され、データベースサーバ２００の出退勤データベース５３内の各作業者の退勤時間として記録される。
【００２０】
前記のように出勤時間・退勤時間・欠勤等による作業者の出退勤情報と、前記出退勤情報から計算される労働時間・休憩時間等の労働時間情報と、作業場所（危険な場所かどうか、移動距離）等の作業場所情報を一括に報告・管理することができる。従って、データベースサーバ２００にある作業者データベース５１、出退勤データベース５３、作業内容データベース５４（図２には図示していない）等の各データベース及びデータベース照会部５及び分析部６によって、労働時間・作業内容・移動距離等を分析し、作業者への給与支払等の確実及びスムーズな処理を可能にする。また、顧客データベース５２において、顧客情報を引出してデータベース照会部５及び分析部６によって顧客先への支払・請求等の確実及びスムーズな処理を可能にする。また、前記出退勤情報、労働時間情報と作業場所情報等から作業員数・所要時間等を再考し、より効率的な人員配置、所要時間の短縮を促すことが可能となる。
【００２１】
また、コードナンバー読取り端末１から読取ったデータを送信端末２からＷＥＢサーバ１００へ送信する際に、送信端末は発信時間を、ＷＥＢサーバは受信時間をそれぞれ記憶しているので、データ改ざんを防止することができ、セキュリティの向上を図ることができる。データベースサーバ２００とＷＥＢサーバ間の送信及び、各端末間、各部間での送信も全て発信時間・受信時間を記憶しておくことができる。
【００２２】
例えば、バーコード内容を作業終了後の作業内容の報告、作業開始時の現在状況の報告等に活用することができる。  作業終了後の作業内容の報告の場合、バーコード表には、業者名・作業人員・作業内容・進行度・作業が遅れた場合はその理由等を入力できる。業者名は、各業者毎に業者名をバーコード化し、作業人員は人数をバーコード化し、作業内容は、例えば、建築現場であれば、足場組立て、捨てコン等の作業内容をバーコード化し、イベント会場では、テントの設営、物品搬入等の作業内容をバーコード化する。進行度は、パーセンテージをバーコード化し、作業が遅れた場合の理由は、材料が違う、物品が届いてない、  人員不足等作業が遅れた理由もバーコード化する。そして、バーコード化された選択肢の中から選択して読取るようにする。
【００２３】
前記出退勤の際と同様に、コードナンバー読取り端末１を使用してバーコード表から読取ると、送信端末２には例えば、図５のように表示され、ＷＥＢサーバ１００に送信される。全内容をバーコードにより数値化することによって、作業の効率化、入力ミスの防止が可能であり、誰でも簡易に作業内容の報告が可能である。
【００２４】
なお、作業開始時の現在状況の報告の場合、業者名・作業予定人員・作業予定内容・進行予定度・現在の問題点等をバーコードにより数値化したものをコードナンバー読取り端末１によって読取ればよく、進行は作業内容の報告と同様である。
【００２５】
また、ＷＥＢサーバ１００又はデータベースサーバ２００にて各現場の日程・人員・時間の日別予定を公開することも可能である。例えば、作業者データベース５１、出退勤データベース５３により、各現場に配置されている人員・時間をデータベース照会部５によって引出すことができ、管理データベース５５により、  各現場の日程・今後のスケジュール等をデータベース照会部５によって引出すことができる。各データベースからデータベース照会部５によって引出された情報を、データベースサーバ２００内の記憶部４に送信し、ＷＥＢサーバ１００の受信部３に送信し、リアルタイムで更新が可能なリアルタイムデータベース３１に送信することにより、日別予定の公開をすることが可能である。
【００２６】
また、ＷＥＢサーバ１００は、作業終了後の作業内容の報告、作業開始時の現在状況の報告等、各現場からの報告を受けるだけでなく、例えば、本日の作業予定を管理データベース５５からＷＥＢサーバ１００へ送信し、ＷＥＢサーバ１００から各送信端末２へ送信することも可能である。つまり送信端末２、ＷＥＢサーバ１００、データベースサーバ２００間での相互のやり取りが可能である。
【００２７】
また、データベースサーバ２００の管理データベース５５においてスケジュールを管理しておき、そのスケジュールと現在の作業状況を比較し、実際の予定と大幅にずれていた場合は修正・再構築を促すことも可能である。また、管理データベース５５は、各現場の着工から終了までの期間・人員等の管理が可能である。５６はその他データベースである。
【００２８】
なお、バーコードデータを送信端末２で送信する際は、インターネット・イントラネット・メール等を使用しての送信が可能である。
【００２９】
図３は、本発明の他の一実施形態を表したブロック図である。例えば、倉庫Ａ、倉庫Ｂ、倉庫Ｃに作業員を配置し、各倉庫にバーコード表・コードナンバー読取り端末１及び送信端末２をセットする。作業員は各倉庫で商品の入庫があった際、現場にセットされているバーコード表の商品名・商品入庫時間・商品入庫数等を数値化したバーコードにコードナンバー読取り端末１を当ててバーコードを読取る。例えば、商品名がＺであり、商品入庫時間が１０時３０分で商品入庫数が１００個であれば、商品名Ｚを数値化したバーコードと、商品入庫時間及び商品入庫数を数値化したバーコードにコードナンバー読取り端末１を当ててバーコードを読取る。バーコードの内容は、商品名・商品入庫時間・商品入庫数等だけでなく、在庫商品名・在庫商品数等も入力可能であり、新たにバーコードを作成することによって必要項目を増やすことが可能である。前記のように、バーコード表はバーコードをプリントアウトしたものだけでなく、パソコン・ＰＤＡ等の画面上にインターネットを通じて表示することも可能である。
【００３０】
商品名・商品入庫時間・商品入庫数等をコードナンバー読取り端末１で読取った後、各倉庫にある送信端末２から、ＷＥＢサーバ１００に送信する。ＷＥＢサーバ１００の受信部３により受信された数値化された商品名・商品入庫時間・商品入庫数等のデータは、データベースサーバ２００の倉庫データベース５８に送信され、各倉庫に入庫した商品名・商品入庫時間・商品入庫数が記録される。なお、商品が入庫されたことにより商品データベース５７にある在庫商品名・在庫商品数等の数値も変更になる。
【００３１】
即ち、商品の入出庫・在庫状況がリアルタイムで確認できるので、受発注・納期の問い合わせに対する対応も迅速に可能となる。例えば商品の受発注の際には、まず、送信端末２を使用してアクセスして、在庫状況を確認し、確認後すぐに受発注の手続を取ることができる。また、確認したい情報を携帯電話等の送信端末２から常にリアルタイムで取得することができる。商品データベース５７の商品データから、商品データが瞬時に分るので、顧客データベース５２等とデータベース照会部５、分析部６等を通じて、照会・分析をし、受発注等の伝票処理・棚卸処理・繰越処理等が迅速に行え、顧客の請求支払管理等も簡易にそして迅速に行える。
【００３２】
出庫の場合も前記のように、各倉庫のバーコード表の商品名・商品出庫時間・商品出庫数等のバーコードにコードナンバー読取り端末１を当ててバーコードを読取る。読取られた数値化された商品名・商品出庫時間・商品出庫数等のデータは前記の商品名・商品入庫時間・商品入庫数等が記録される際と同様に、送信端末２を介してＷＥＢサーバ１００の受信部３へ送信され、データベースサーバ２００の倉庫データベース５８内の各倉庫の商品名・商品出庫時間・商品出庫数等として記録される。また、商品が出庫されたことにより商品データベース５７にある在庫商品名・在庫商品数等の数値も変更になる。
【００３３】
図４は、本発明のさらに他の一実施形態を表したブロック図である。例えば、トラックＡ、トラックＢ、トラックＣの各トラックにバーコード表・コードナンバー読取り端末１及び送信端末２をセットしたとする。この場合、トラック運転手は各荷物受渡し場所で荷物を積載した際、各トラックにセットされているバーコード表の商品名・商品積載時間・商品積載数・現在地情報等を数値化したバーコードにコードナンバー読取り端末１を当ててバーコードを読取る。例えば、商品名がＹであり、商品積載時間が１３時３０分で商品積載数２００個、現在地Ｘ市場であれば、商品名のＹを数値化したバーコードと、商品積載時間及び商品積載数を数値化したバーコードと、Ｘ市場を数値化したバーコードに、コードナンバー読取り端末１を当ててバーコードを読取る。バーコードの内容は、商品名・商品積載時間・商品積載数・現在地情報等だけでなく、移動予定時間等も入力可能であり、新たにバーコードを作成することによって必要項目を増やすことが可能である。前記のように、バーコード表はバーコードをプリントアウトしたものだけでなく、パソコン・ＰＤＡ等の画面上にインターネットを通じて表示することも可能である。
【００３４】
商品名・商品積載時間・商品積載数・現在地情報等をコードナンバー読取り端末１で読取った後、各トラックにある送信端末２からＷＥＢサーバ１００に送信する。ＷＥＢサーバ１００の受信部３により受信された数値化された商品名・商品積載時間・商品積載数・現在地情報等のデータは、データベースサーバ２００の車両データベース５９に送信され、各トラックに積載した商品名・商品積載時間・商品積載数・現在地情報等が記録される。なお、商品がトラックに積載されたことにより図４には図示していないが、商品データベース５７にある商品データの数値も変更になる。
【００３５】
即ち、商品の積載・荷卸による荷物及びトラックの移動状況・在庫状況がリアルタイムで確認できるので、例えば、他の顧客から荷物の運送を依頼された際、依頼者の現場近くへ最寄りのトラックを行かせることができ、問い合わせに対する迅速な対応も可能となる。また、確認したい情報を携帯電話等の送信端末２から常にリアルタイムで取得することができる。車両データベース５９により、現在、各トラックにどの商品がどれだけ積載されており何時どこの市場に居たか等のデータが瞬時に分るので、顧客データベース５２等とデータベース照会部５、分析部６等を通じて、照会・分析をし、受発注・顧客への通知等が迅速に行え、顧客の請求支払管理等も簡易にそして迅速に行える。
【００３６】
荷卸の場合も前記のように、各トラックにセットされているバーコード表の商品名・商品荷卸時間・商品荷卸数・現在地情報等を数値化したバーコードにコードナンバー読取り端末１を当ててバーコードを読取る。読取られた数値化された商品名・商品荷卸時間・商品荷卸数・現在地情報等のデータは前記の商品名・商品積載時間・商品積載数・現在地情報等が記録される際と同様に、送信端末２を介してＷＥＢサーバ１００の受信部３へ送信され、データベースサーバ２００の車両データベース５９内の各トラックの商品名・商品荷卸時間・商品荷卸数・現在地情報等として記録される。また、商品が荷卸されたことにより図４には図示していないが、商品データベース５７にある在庫商品名・在庫商品数等の数値も変更になる。
【００３７】
また、車両データベース５９と作業者データベース５１により、作業者の勤怠状況を管理することができ、車両データベース５９と顧客データベース５２により、顧客の現場へ効率よくトラックを配車することが可能である。
【００３８】
また、訪問販売等に応用することも可能であり、バーコードで簡易に情報収集・管理・調査などができることより商品の販売・サービスの提供・集金・アンケート調査等が可能である。また、路線バス・巡回バス等に応用することによって、停留所にバスが近づいて来た際に情報を送信端末２に送信することにより、効率化が可能である。
【００３９】
なお、送信端末２等にＧＰＳ（Ｇｌｏｂａｌ  Ｐｏｓｉｔｉｏｎｉｎｇ  Ｓｙｓｔｅｍ）を搭載することによって、データベースサーバ２００の負担を軽くして、簡易に位置情報を送信することも可能である。また、位置情報を送信することによって、現場間移動の指示、顧客からの急な依頼、トラブルが起きた際の最寄り現場への対応等ができるようになる。
【００４０】
なお、図２、３、４とも図示していないが、データベースサーバ２００からこのシステムを管理しているシステムサーバ、携帯電話・ＰＨＳ・ＰＤＡ等の各端末８へ情報を送信できる。
【００４１】
【発明の効果】
請求項１は、出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムであって、バーコード・識別コード等のコードナンバーを読取るコードナンバー読取り端末と、コードナンバー読取り端末により読取られたコードナンバーデータを送信する送信端末と、送信端末により送信されたコードナンバーデータを受信するＷＥＢサーバ内にある受信部と、  受信部により受信したコードナンバーデータを記憶するデータベースサーバ内にある記憶部と、記憶部により記憶されたコードナンバーデータの情報を引出し、各データベースと照会するデータベースサーバ内にあるデータ照会部と、データ照会部で引出されたコードナンバーデータの情報を分析するデータベースサーバ内にある分析部と、分析部により分析されたコードナンバーデータの情報を各端末に送信するデータベースサーバ内にある送信部とでなるバーコード等のコードナンバーを附すことにより数値化し管理を容易化、データ蓄積の簡易化、データ収容の拡充化を図るインターネット等の通信回線を利用した管理システムである。従って、バーコード等のコードナンバーを使用することにより情報を数値化し読取るので、作業の効率化、入力ミス等の防止が可能であること、数値化により、情報が漏洩した際も数字の羅列による情報が漏洩するに過ぎず、セキュリティが向上すること、労務管理を確実及びスムーズなものとし、処理が簡易にできること、情報を数値化することにより、膨大なデータ保存が可能となること、情報を簡易に蓄積できるので、情報を基に再考し、より効率的な管理・運営・配置が可能となること等の特徴がある。
【００４２】
請求項２は、出勤時刻・退勤時刻・作業人員・所用時間・作業内容・受発注・在庫確認・位置確認等の情報をバーコード等のコードナンバーを附すことにより数値化し管理を容易化、データ蓄積の簡易化、データ収容の拡充化を図るインターネット等の通信回線を利用した管理システムであって、コードナンバー読取り端末によってバーコード・識別コード等のコードナンバーを読取り、読取られたコードナンバーデータを送信端末により送信し、送信されたコードナンバーデータをＷＥＢサーバ内にある受信部により受信し、受信したコードナンバーデータをデータベースサーバ内にある記憶部により記憶し、記憶されたコードナンバーデータの情報をデータベースサーバ内にあるデータ照会部により引出した後、各データベースと照会し、照会されたコードナンバーデータの情報をデータベースサーバ内にある分析部により分析し、分析されたコードナンバーデータの情報をデータベースサーバ内にある送信部により送信するバーコード等のコードナンバーを附すことにより数値化し管理を容易化、データ蓄積の簡易化、データ収容の拡充化を図るインターネット等の通信回線を利用した管理方法である。従って、請求項１と同様の効果がある。
【図面の簡単な説明】
【図１】本発明の一実施形態をフローチャート化した図である。
【図２】本発明の一実施形態を表したブロック図である。
【図３】本発明の他の一実施形態を表したブロック図である。
【図４】本発明のさらに他の一実施形態を表したブロック図である。
【図５】本発明の送信端末の一実施形態を表した図である。
【符号の説明】
１      コードナンバー読取り端末
２      送信端末
３      受信部
４      記憶部
５      データベース照会部
５１      作業者データベース
５２      顧客データベース
５３      出退勤データベース
５４      作業内容データベース
５５      管理データベース
５６      その他データベース
５７      商品データベース
５８      倉庫データベース
５９      車両データベース
６      分析部
７      送信部
８      各端末
１００    ＷＥＢサーバ
２００    データベースサーバ
【図１】
2004272640.tif 000003
【図２】
2004272640.tif 000004
【図３】
2004272640.tif 000005
【図４】
2004272640.tif 000006
【図５】
2004272640.tif 000007